【手続補正書】
【提出日】平成23年8月1日(2011.8.1)
【手続補正１】
【補正対象書類名】特許請求の範囲
【補正対象項目名】全文
【補正方法】変更
【補正の内容】
【特許請求の範囲】
【請求項１】
裏紙から廃品複合テープ材料を除去するために複合テープラミネート装置に取り付ける装置であって、
装置を複合テープラミネート装置に取り付けるための少なくとも一つの取付け部材と、
裏紙から廃品複合テープ材料を除去するための少なくとも一つの除去部材と、
少なくとも一つの可動部材であって、可動部材が一つの位置にあるときに、少なくとも一つの除去部材を避けて裏紙上に非廃品複合テープ材料を保持するために、裏紙上の非廃品複合テープ材料が一経路に沿って方向付けされ、可動部材が別の位置にあるときに、少なくとも一つの除去部材と接触し廃品複合テープ材料を裏紙から除去するために、裏紙上の廃品複合テープ材料が異なる経路に沿って方向付けされる、少なくとも一つの可動部材と、
裏紙から除去された廃品複合テープ材料を廃棄するための廃品処理部材と、
非廃品複合テープ材料が取り付けられ、廃品複合テープ材料が取り付けられていない裏紙を巻き取るためのスプールローラ
を備える装置。
【請求項２】
少なくとも一つの取付け部材が、締め付け部材とボルトのうちの少なくとも一つを含む、請求項１に記載の装置。
【請求項３】
テープ材料を裏紙上に供給する供給スプールと、裏紙上のテープ材料を切断する少なくとも一つの切断部材を備える複合テープラミネート装置に取り付けるための装置である、請求項１に記載の装置。
【請求項４】
前記少なくとも一つの除去部材が、少なくとも一つのハイタックローラを含む、請求項１に記載の装置。
【請求項５】
前記少なくとも一つのハイタックローラが、接着剤及びテープのうちの少なくとも一つによって少なくとも部分的に覆われている、請求項４に記載の装置。
【請求項６】
前記少なくとも一つのハイタックローラが、接着剤及びテープのうちの少なくとも一つの複数によって少なくとも部分的に覆われており、接着剤及びテープは前記少なくとも一つのハイタックローラの間隔を置いて配置された複数の部分の周囲に巻かれている、請求項５に記載の装置。
【請求項７】
曲面及び間隔を置いて配置された複数の指状部を含む櫛状部材をさらに備える、請求項１に記載の装置。
【請求項８】
前記少なくとも一つの除去部材が少なくとも一つのハイタックローラを含み、前記間隔を置いて配置された複数の指状部が前記少なくとも一つのハイタックローラの上に配置されており、接着剤、ハイタック面及びテープのうちの少なくとも一つの複数が、前記間隔を置いて配置された複数の指状部の間に配置されている、請求項７に記載の装置。
【請求項９】
裏紙から廃品複合テープ材料を除去する方法であって、
少なくとも一つの取付け部材、少なくとも一つの除去部材、少なくとも一つの可動部材、廃品処理部材、及びスプールローラを備える装置を供給し、
前記少なくとも一つの取付け部材を使用して、複合テープラミネート装置に装置を取り付け、
複合テープラミネート装置を使用して裏紙上に複合テープ材料を切断し、
少なくとも一つの可動部材が一つの位置にあるときに、少なくとも一つの除去部材との接触を避けるために、裏紙上の非廃品複合テープ材料を一経路に沿って移動させ、
裏紙上の非廃品複合テープ材料をスプールローラで巻き取り、
廃品複合テープ材料が少なくとも一つの除去部材と接触するように、少なくとも一つの可動部材を別の位置に移動させ、
少なくとも一つの除去部材を使用して、裏紙から廃品複合テープ材料を取り除き、
裏紙から除去された廃品複合テープ材料を廃品処理部材に廃棄し、
廃品複合テープ材料が付着していない裏紙をスプールローラで巻き取る
ステップを含む方法。
【請求項１０】
取付けステップが、前記少なくとも一つの取付け部材を使用して装置を複合テープラミネート装置に後付けするステップを含む、請求項９に記載の方法。
【請求項１１】
複合テープラミネート装置が、裏紙上に複合テープ材料を供給する供給スプールと、裏紙上の複合テープ材料を切断する少なくとも一つの切断部材を備える、請求項９に記載の方法。
【請求項１２】
前記少なくとも一つの除去部材が、少なくとも一つのハイタックローラを含む、請求項９に記載の方法。
【請求項１３】
前記少なくとも一つのハイタックローラが接着剤及びテープのうちの少なくとも一つによって少なくとも部分的に覆われている、請求項１２に記載の方法。
【請求項１４】
前記少なくとも一つのハイタックローラが、接着剤及びテープのうちの少なくとも一つの複数によって少なくとも部分的に覆われており、接着剤及びテープが前記少なくとも一つのハイタックローラの間隔を置いて配置された複数の部分の周囲に巻かれている、請求項１３に記載の方法。
【請求項１５】
前記接着剤及びテープのうちの少なくとも一つが、前記少なくとも一つのハイタックローラから除去可能である、請求項１４に記載の方法。
【手続補正２】
【補正対象書類名】明細書
【補正対象項目名】００２７
【補正方法】変更
【補正の内容】
【００２７】
本明細書に具現化された装置及び方法は、製造及び就航方法２０１の任意の一以上の段階において採用することができる。例えば、製造プロセス２０９に対応する部品又はサブアセンブリは、航空機２０３が就航している間に製造される部品又はサブアセンブリと同じ方法で加工又は製造することができる。また、一以上の装置の実施形態、方法の実施形態、又はこれらの組み合わせを、例えば、航空機２０３を実質的に組立てしやすくする、又は航空機２０３にかかる費用を削減することによって、製造段階２０９及び２１１において用いることが可能である。同様に、一以上の装置の実施形態、方法の実施形態、またはこれらの組み合わせを、航空機２０３が就航している間に、例えば限定しないが、保守及び点検２１７に用いることができる。
当然ながら、前述は本発明の実例となる実施形態に関連し、下記の態様に記載されるように本発明の精神及び範囲から逸脱することなく修正を行うことが可能である。
また、本発明は以下に記載する態様を含む。
（態様１）
裏紙から廃品複合テープ材料を除去するために複合テープラミネート装置に取り付ける装置であって、
装置を複合テープラミネート装置に取り付けるための少なくとも一つの取付け部材と、
裏紙から廃品複合テープ材料を除去するための少なくとも一つの除去部材と、
少なくとも一つの可動部材であって、可動部材が一つの位置にあるときに、少なくとも一つの除去部材を避けて裏紙上に非廃品複合テープ材料を保持するために、裏紙上の非廃品複合テープ材料が一経路に沿って方向付けされ、可動部材が別の位置にあるときに、少なくとも一つの除去部材と接触し廃品複合テープ材料を裏紙から除去するために、裏紙上の廃品複合テープ材料が異なる経路に沿って方向付けされる、少なくとも一つの可動部材と、
裏紙から除去された廃品複合テープ材料を廃棄するための廃品処理部材と、
非廃品複合テープ材料が取り付けられ、廃品複合テープ材料が取り付けられていない裏紙を巻き取るためのスプールローラ
を備える装置。
（態様２）
装置が複合テープラミネート装置に後付けされている、態様１に記載の装置。
（態様３）
少なくとも一つの取付け部材が、締め付け部材とボルトのうちの少なくとも一つを含む、態様１に記載の装置。
（態様４）
テープ材料を裏紙上に供給する供給スプールと、裏紙上のテープ材料を切断する少なくとも一つの切断部材を備える複合テープラミネート装置に取り付けるための装置である、態様１に記載の装置。
（態様５）
前記少なくとも一つの除去部材が、少なくとも一つのハイタックローラを含む、態様１に記載の装置。
（態様６）
前記少なくとも一つのハイタックローラが、接着剤及びテープのうちの少なくとも一つによって少なくとも部分的に覆われている、態様５に記載の装置。
（態様７）
前記少なくとも一つのハイタックローラが、接着剤及びテープのうちの少なくとも一つの複数によって少なくとも部分的に覆われており、接着剤及びテープは前記少なくとも一つのハイタックローラの間隔を置いて配置された複数の部分の周囲に巻かれている、態様６に記載の装置。
（態様８）
前記接着剤及びテープのうちの少なくとも一つは前記少なくとも一つのハイタックローラから除去可能である、態様６に記載の装置。
（態様９）
曲面及び間隔を置いて配置された複数の指状部を含む櫛状部材をさらに備える、態様１に記載の装置。
（態様１０）
前記少なくとも一つの除去部材が少なくとも一つのハイタックローラを含み、前記間隔を置いて配置された複数の指状部が前記少なくとも一つのハイタックローラの上に配置されており、接着剤、ハイタック面及びテープのうちの少なくとも一つの複数が、前記間隔を置いて配置された複数の指状部の間に配置されている、態様９に記載の装置。
（態様１１）
少なくとも一つのニップローラが、前記櫛状部材の前記曲面近くに配置されている、態様９に記載の装置。
（態様１２）
前記少なくとも一つの可動部材が、少なくとも一つの指状部材を含む、態様１に記載の装置。
（態様１３）
前記少なくとも一つの除去部材が少なくとも一つのハイタックローラを含み、前記少なくとも一つの指状部材が前記少なくとも一つのハイタックローラから離れて配置され、少なくとも一つのハイタックローラを避けて裏紙上に非廃品複合テープ材料を保持するために、裏紙上の非廃品複合テープ材料が経路に沿って方向付けされ、前記少なくとも一つの指状部材が前記少なくとも一つのハイタックローラの近くに配置されているときに、少なくとも一つのハイタックローラに接触し裏紙から廃品複合テープ材料を除去するために、裏紙上の廃品複合テープ材料が異なる経路に沿って方向付けされる、態様１２に記載の装置。
（態様１４）
廃品処理部材が廃品処理袋及び廃品処理容器のうちの少なくとも一つを含む、態様１に記載の装置。
（態様１５）
スプールローラを駆動させる少なくとも一つのギア部材をさらに備える、態様１に記載の装置。
（態様１６）
２つのギア部材をさらに備え、装置のスプールローラが駆動部材によって可逆的に駆動され、複合テープラミネート装置の第２スプールローラを駆動させるように、ギア部材のうちの一つが複合テープラミネート装置の第２スプールローラに取り付けられる、態様１５に記載の装置。
（態様１７）
裏紙上のテープ材料の前縁及び切断線のうちの少なくとも一つを検出するための検出システムを更に備える、態様１に記載の装置。
（態様１８）
検出システムが、センサアレイ及びコンピュータのうちの少なくとも一つを備える、態様１７に記載の装置。
（態様１９）
裏紙から廃品複合テープ材料を除去する方法であって、
少なくとも一つの取付け部材、少なくとも一つの除去部材、少なくとも一つの可動部材、廃品処理部材、及びスプールローラを備える装置を供給し、
前記少なくとも一つの取付け部材を使用して、複合テープラミネート装置に装置を取り付け、
複合テープラミネート装置を使用して裏紙上に複合テープ材料を切断し、
少なくとも一つの可動部材が一つの位置にあるときに、少なくとも一つの除去部材との接触を避けるために、裏紙上の非廃品複合テープ材料を一経路に沿って移動させ、
裏紙上の非廃品複合テープ材料をスプールローラで巻き取り、
廃品複合テープ材料が少なくとも一つの除去部材と接触するように、少なくとも一つの可動部材を別の位置に移動させ、
少なくとも一つの除去部材を使用して、裏紙から廃品複合テープ材料を取り除き、
裏紙から除去された廃品複合テープ材料を廃品処理部材に廃棄し、
廃品複合テープ材料が付着していない裏紙をスプールローラで巻き取る
ステップを含む方法。
（態様２０）
取付けステップが、前記少なくとも一つの取付け部材を使用して装置を複合テープラミネート装置に後付けするステップを含む、態様１９に記載の方法。
（態様２１）
少なくとも一つの取付け部材が、締め付け部材とボルトのうちの少なくとも一つを含む、態様１９に記載の方法。
（態様２２）
複合テープラミネート装置が、裏紙上に複合テープ材料を供給する供給スプールと、裏紙上の複合テープ材料を切断する少なくとも一つの切断部材を備える、態様１９に記載の方法。
（態様２３）
前記少なくとも一つの除去部材が、少なくとも一つのハイタックローラを含む、態様１９に記載の方法。
（態様２４）
前記少なくとも一つのハイタックローラが接着剤及びテープのうちの少なくとも一つによって少なくとも部分的に覆われている、態様２３に記載の方法。
（態様２５）
前記少なくとも一つのハイタックローラが、接着剤及びテープのうちの少なくとも一つの複数によって少なくとも部分的に覆われており、接着剤及びテープが前記少なくとも一つのハイタックローラの間隔を置いて配置された複数の部分の周囲に巻かれている、態様２４に記載の方法。
（態様２６）
前記接着剤及びテープのうちの少なくとも一つが、前記少なくとも一つのハイタックローラから除去可能である、態様２４に記載の方法。
（態様２７）
装置が、曲面及び間隔を置いて配置された複数の指状部を含む櫛状部材をさらに備える、態様１９に記載の方法。
（態様２８）
前記少なくとも一つの除去部材が少なくとも一つのハイタックローラを含み、前記間隔を置いて配置された複数の指状部が前記少なくとも一つのハイタックローラの上に配置されており、接着剤及びテープのうちの少なくとも一つの複数が、前記間隔を置いて配置された複数の指状部の間に配置されている、態様２７に記載の方法。
（態様２９）
少なくとも一つのニップローラが、前記櫛状部材の前記曲面近くに配置されている、態様２７に記載の方法。
（態様３０）
前記少なくとも一つの可動部材が、少なくとも一つの指状部材を含む、態様１９に記載の方法。
（態様３１）
前記少なくとも一つの除去部材が少なくとも一つのハイタックローラを含み、可動部材が一つの位置にあるときに、前記少なくとも一つの指状部が前記少なくとも一つのハイタックローラから離れるように配置されている、態様３０に記載の方法。
（態様３２）
前記少なくとも一つの除去部材が少なくとも一つのハイタックローラを含み、可動部材が別の位置にあるときに、前記少なくとも一つの指状部が前記少なくとも一つのハイタックローラの近くに配置されている、態様３０に記載の方法。
（態様３３）
廃品処理部材が廃品処理袋及び廃品処理容器のうちの少なくとも一つを含む、態様１９に記載の方法。
（態様３４）
装置が、スプールローラを駆動させる少なくとも一つのギア部材をさらに備える、態様１９に記載の方法。
（態様３５）
装置が２つのギア部材をさらに備え、ギア部材のうちの一つが複合テープラミネート装置の第２スプールローラに取り付けられ、装置のスプールローラが駆動部材によって可逆的に駆動されて複合テープラミネート装置の第２スプールローラを駆動させる、態様３４に記載の方法。
（態様３６）
装置が、裏紙上の複合テープ材料の前縁及び切断線のうちの少なくとも一つを検出するための検出システムを更に備える、態様１９に記載の方法。
（態様３７）
検出システムが、センサアレイ及びコンピュータのうちの少なくとも一つを備える、態様３６に記載の方法。